(57)【要約】【課題】作業性を大きく向上できる回転電機の仮固定治具及び組立方法を提供する。【解決手段】フレーム１１１の一端側に複数のブラケット３１の基端側を周方向に沿って等間隔でそれぞれ取り付け、ブラケット３１の先端側にスペーサ３２を各々配置して、ブラケット３１及びスペーサ３２のボルト穴３１ｂ，３２ｂに兼用ボルト３３を各々貫通させてロータ１１３の仮固定台座１１３ａにそれぞれ螺合させることにより、フレーム１１１に対してロータ１１３を仮固定し、ロータ１１３に回転軸１１４を装着したら、兼用ボルト３３をそれぞれ外し、外した兼用ボルト３３をブラケット３１のめねじ穴３１ｃに各々螺合させてブラケット３１の先端側とロータ１１３との間隔を拡げるように兼用ボルト３３の先端面をロータ１１３にそれぞれ押し付けてスペーサ３２を各々取り外した後、兼用ボルト３３を外すことにより、ロータ１１３を回転軸１１４に本固定する。【選択図】図４
2020137318.tif 000002
【特許請求の範囲】
【請求項１】
ステータを取り付けた円筒形のフレームに対してロータを仮固定する回転電機の仮固定治具であって、
前記フレームの一端側に基端側を着脱可能に取り付けられて先端側を前記ロータへ着脱可能に連結される板状の支持部材と、
前記支持部材の先端側と前記ロータとの間に着脱可能に配設される座部材と、
前記支持部材の先端側及び前記座部材を貫通して前記ロータに着脱可能に螺合する仮固定ボルトと、
前記支持部材の先端側を貫通するように当該支持部材の当該先端側に螺合して前記ロータに先端面を押し付け可能な押付ボルトと
を備えていることを特徴とする回転電機の仮固定治具。
【請求項２】
請求項１に記載の回転電機の仮固定治具において、
前記仮固定ボルトと前記押付ボルトとが同一部材である
ことを特徴とする回転電機の仮固定治具。
【請求項３】
請求項１に記載の回転電機の仮固定治具を使用する回転電機の組立方法であって、
前記フレームの一端側に複数の前記支持部材の基端側を周方向に沿って規定間隔でそれぞれ取り付け、
前記支持部材の先端側に前記座部材を各々配置して当該支持部材及び当該座部材に前記仮固定ボルトを各々貫通させて、前記ステータの内部に配設された前記ロータにそれぞれ螺合させることにより、
前記フレームに対して前記ロータを仮固定する
ことを特徴とする回転電機の組立方法。
【請求項４】
請求項３に記載の回転電機の組立方法において、
前記フレームに対して仮固定された前記ロータに回転軸を装着した後、
前記仮固定ボルトをそれぞれ外し、
前記支持部材の先端側に前記押付ボルトを各々螺合させて当該支持部材の先端側と前記ロータとの間隔を拡げるように当該押付ボルトの先端面を前記ロータにそれぞれ押し付けて、
前記支持部材の先端側と前記ロータとの間から前記座部材を各々取り外した後、
前記押付ボルトをそれぞれ外すことにより、
前記ロータを前記回転軸に本固定する
ことを特徴とする回転電機の組立方法。
【請求項５】
請求項４に記載の回転電機の組立方法において、
前記支持部材を取り付けられた前記フレームの一端側に、当該フレームの内側と外側とを仕切るように覆うカバーを取り付ける
ことを特徴とする回転電機の組立方法。
【発明の詳細な説明】
【技術分野】
【０００１】
本発明は、ステータを取り付けた円筒形のフレームに対してロータを仮固定する回転電機の仮固定治具及びこれを使用する回転電機の組立方法に関し、特に、エレベータの巻上機のモータに適用すると有効なものである。
【背景技術】
【０００２】
例えば、エレベータの巻上機のモータは、工場において、ステータを内部に取り付けた円筒形のフレームの一端側に環状をなす仮固定治具を同軸をなして取り付けると共に、ステータの内部に配設したロータを当該仮固定治具に取り付けることにより、ステータの同軸上にロータを位置付けるように仮固定してから、現場にまで搬送し、網車の回転軸をロータの内部に挿入してロータに回転軸を装着した後、フレーム及びロータから仮固定治具を取り外して、フレームの一端側にカバーを取り付けることにより、組み立てられている。
【先行技術文献】
【特許文献】
【０００３】
【特許文献１】特開２００４−１０７０４８号公報
【特許文献２】特開２００９−１０７７９０号公報
【発明の概要】
【発明が解決しようとする課題】
【０００４】
フレームに対してロータを仮固定する仮固定治具は、堅牢さが必要であることから、肉厚な部材となってしまう。このため、前述したような従来の環状の仮固定治具は、重量が非常に大きく、取り付けや取り外し等の作業に多大な労力を要するものとなっていた。
【０００５】
このような問題は、エレベータの巻上機のモータに限らず、ステータを取り付けた円筒形のフレームに対してロータを仮固定する回転電機であれば、上述した場合と同様にして生じ得ることである。
【０００６】
このようなことから、本発明は、作業性を大きく向上させることができる回転電機の仮固定治具及びこれを使用する回転電機の組立方法を提供することを目的とする。
【課題を解決するための手段】
【０００７】
前述した課題を解決するための、本発明に係る回転電機の仮固定治具は、ステータを取り付けた円筒形のフレームに対してロータを仮固定する回転電機の仮固定治具であって、前記フレームの一端側に基端側を着脱可能に取り付けられて先端側を前記ロータへ着脱可能に連結される板状の支持部材と、前記支持部材の先端側と前記ロータとの間に着脱可能に配設される座部材と、前記支持部材の先端側及び前記座部材を貫通して前記ロータに着脱可能に螺合する仮固定ボルトと、前記支持部材の先端側を貫通するように当該支持部材の当該先端側に螺合して前記ロータに先端面を押し付け可能な押付ボルトとを備えていることを特徴とする。
【０００８】
また、本発明に係る回転電機の仮固定治具は、上述した回転電機の仮固定治具において、前記仮固定ボルトと前記押付ボルトとが同一部材であることを特徴とする。
【０００９】
そして、前述した課題を解決するための、本発明に係る回転電機の組立方法は、上述した回転電機の仮固定治具を使用する回転電機の組立方法であって、前記フレームの一端側に複数の前記支持部材の基端側を周方向に沿って規定間隔でそれぞれ取り付け、前記支持部材の先端側に前記座部材を各々配置して当該支持部材及び当該座部材に前記仮固定ボルトを各々貫通させて、前記ステータの内部に配設された前記ロータにそれぞれ螺合させることにより、前記フレームに対して前記ロータを仮固定することを特徴とする。
【００１０】
また、本発明に係る回転電機の組立方法は、上述した回転電機の組立方法において、前記フレームに対して仮固定された前記ロータに回転軸を装着した後、前記仮固定ボルトをそれぞれ外し、前記支持部材の先端側に前記押付ボルトを各々螺合させて当該支持部材の先端側と前記ロータとの間隔を拡げるように当該押付ボルトの先端面を前記ロータにそれぞれ押し付けて、前記支持部材の先端側と前記ロータとの間から前記座部材を各々取り外した後、前記押付ボルトをそれぞれ外すことにより、前記ロータを前記回転軸に本固定することを特徴とする。
【００１１】
また、本発明に係る回転電機の組立方法は、上述した回転電機の組立方法において、前記支持部材を取り付けられた前記フレームの一端側に、当該フレームの内側と外側とを仕切るように覆うカバーを取り付けることを特徴とする。
【発明の効果】
【００１２】
本発明によれば、板状をなす小型で軽量の支持部材及び座部材によってロータをフレームに対して仮固定することができ、ロータを回転軸に装着した後、支持部材とロータとの間から座部材を取り外すことによって仮固定を解除することができるので、取り付けや取り外し等の作業性を大幅に向上させることができる。
【図面の簡単な説明】
【００１３】
【図１】本発明に係る回転電機の仮固定治具の主な実施形態のブラケットの構造図である。
【図２】本発明に係る回転電機の仮固定治具の主な実施形態のスペーサの構造図である。
【図３】本発明に係る回転電機の仮固定治具の主な実施形態の仮固定ボルトの構造図である。
【図４】本発明に係る回転電機の仮固定治具を使用する回転電機の組立方法の主な実施形態の説明図である。
【図５】図４に続く説明図である。
【図６】図５に続く説明図である。
【図７】図６に続く説明図である。
【発明を実施するための形態】
【００１４】
本発明に係る回転電機の仮固定治具及びこれを使用する回転電機の組立方法の実施形態を図面に基づいて説明するが、本発明は図面に基づいて説明する以下の実施形態のみに限定されるものではない。
【００１５】
〈主な実施形態〉
本発明に係る回転電機の仮固定治具及びこれを使用する回転電機の組立方法の主な実施形態を図１〜７に基づいて説明する。
【００１６】
本実施形態に係る回転電機の仮固定治具は、図１〜３に示すように、ステータを取り付けた円筒形のフレームに対してロータを仮固定する回転電機の仮固定治具であって、フレームの一端側に基端側を着脱可能に取り付けられて先端側をロータへ着脱可能に連結される板状の支持部材であるブラケット３１と、ブラケット３１の先端側とロータとの間に着脱可能に配設される座部材であるスペーサ３２と、ブラケット３１の先端側及びスペーサ３２を貫通してロータに着脱可能に螺合する仮固定ボルトとなると共に、ブラケット３１の先端側を貫通するようにブラケット３１の先端側に螺合してロータに先端面を押し付け可能な押付ボルトとなる兼用ボルト３３とを備え、さらに、ブラケット１１の基端側をフレームの一端側に着脱可能に取り付ける取付ボルト３４（図４参照）を備えている。
【００１７】
ブラケット３１は、背面（図１Ａ中、紙面奥面、図１Ｂ中、右面）の先端側（図１Ａ，図１Ｂ中、下側）に、厚肉となる台座部３１ａが設けられ、厚さ方向（図１Ａ中、紙面垂直方向、図１Ｂ中、左右方向）へ兼用ボルト３３を差し込まれて貫通させるボルト穴３１ｂが形成されると共に、このボルト穴３１ｂよりも先端側（図１Ａ，図１Ｂ中、下側）に、厚さ方向（図１Ａ中、紙面垂直方向、図１Ｂ中、左右方向）へ兼用ボルト３３を螺合させて貫通させるめねじ穴３１ｃが形成され、さらに、基端側（図１中、上側）に、厚さ方向へ取付ボルト３４を差し込まれて貫通させるボルト穴３１ｄが形成されている。
【００１８】
スペーサ３２は、直方体形状をなし、ブラケット３１のボルト穴３１ｂと連絡して厚さ方向（図２Ａ中、紙面垂直方向、図２Ｂ中、左右方向）へ兼用ボルト３３を差し込まれて貫通させるボルト穴３２ｂが形成されている。
【００１９】
兼用ボルト３３は、頭部３３ａが、ブラケット３１のボルト穴３１ｂ及びめねじ穴３１ｃの直径よりも大きい径サイズを有し、軸部３３ｂが、重ね合わせたブラケット３１及びスペーサ３２のボルト穴３１ｂ，３２ｂから突出できるように当該ボルト穴３１ｂ，３２ｂの合計長さよりも長くなっている。
【００２０】
このような本実施形態に係る仮固定治具３０を使用する回転電機であるエレベータの巻上機のモータの組立方法を図４〜７に基づいて説明する。
【００２１】
まず、工場において、環状をなすステータ１１２を内周面に同軸をなして取り付けた円筒形のフレーム１１１の一端側（図４Ａ中、紙面手前側、図４Ｂ中、左端側）に、複数（本実施形態では３つ）のブラケット３１の基端側を周方向に沿って規定間隔（本実施形態では等間隔）でそれぞれ配設して、ボルト穴３１ｄに取付ボルト３４を各々差し込んで貫通させてフレーム１１１の一端側に螺合させ、当該ブラケット３１の基端側をフレーム１１１にそれぞれ取り付ける。
【００２２】
そして、環状をなすロータ１１３をステータ１１２の内部に配設して、ブラケット３１のボルト穴３１ｂにスペーサ３２のボルト穴３２ｂを各々連絡させるようにブラケット３１の台座部３１ａにスペーサ３２をそれぞれ配置して上記ボルト穴３１ｂ，３２ｂに兼用ボルト３３を差し込んで貫通させてロータ１１３の仮固定台座部１１３ａにそれぞれ螺合させる。
【００２３】
このようにして、ロータ１１３は、ステータ１１２と同軸をなすように仮固定治具３０でフレーム１１１に仮固定される。
【００２４】
そして、フレーム１１１に対してロータ１１３を仮固定したら、現場にまで搬送し、網車の回転軸１１４をロータ１１３の内部に挿入してロータ１１３に回転軸１１４を装着した後、兼用ボルト３３をそれぞれ外す（図５参照）。
【００２５】
次に、外した兼用ボルト３３をブラケット３１のめねじ穴３１ｃに各々螺合させて、ブラケット３１の先端側とロータ１１３の仮固定台座部１１３ａとの間隔を拡げるように当該兼用ボルト３３の先端面をロータ１１３の仮固定台座部１１３ａにそれぞれ押し付ける（図６参照）。
【００２６】
続いて、ブラケット３１の台座部１１ａとロータ１１３の仮固定台座部１１３ａとの間からスペーサ１２を各々取り外した後、兼用ボルト３３をブラケット３１のめねじ穴３１ｃから取り外すことにより、ロータ１１３がステータ１１２と同軸をなすように回転軸１１４に本固定される。
【００２７】
そして、フレーム１１１の内側と外側とを仕切るように覆う円板形のカバー１１５を当該フレーム１１１の一端側に同軸をなして配設し、当該カバー１１５を取付ボルト１１６でブラケット３１及びフレーム１１１に取り付けることにより（図７参照）、エレベータの巻上機のモータ１１０が現場で組み立てられて据え付けられる。
【００２８】
つまり、従来は、環状をなす大型で重量物の仮固定治具によってロータをフレームに対して仮固定して、当該仮固定治具を取り外すことによって仮固定を解除すると共にカバーをフレームに装着できるようにしていたが、本実施形態においては、複数（本実施形態では３つ）の板状をなす小型で軽量のブラケット３１及びスペーサ３２によってロータ１１３を仮固定して、スペーサ３２を取り外すことによって仮固定を解除すると共にフレーム１１１にブラケット３１を取り付けたままカバー１１５を装着ことができるようにしたのである。
【００２９】
このため、従来は、取り付けや取り外し等の作業に多大な労力を要してしまっていたものの、本実施形態においては、取り付けや取り外し等の作業を非常に容易に行うことが可能となる。
【００３０】
したがって、本実施形態に係る仮固定治具１０及びこれを使用するエレベータの巻上機のモータ１１０の組立方法よれば、作業性を大幅に向上させることができる。
【００３１】
また、兼用ボルト３３をブラケット３１のめねじ穴３１ｃに各々螺合させて、兼用ボルト３３の先端面をロータ１１３の仮固定台座部１１３ａにそれぞれ押し付けることにより、ブラケット３１の先端側とロータ１１３の仮固定台座部１１３ａとの間隔を拡げるようにしたことから、ブラケット３１の台座部１１ａとロータ１１３の仮固定台座部１１３ａとで間にスペーサ１２を強く挟持してしまっていたとしても、当該間からスペーサ１２を取り外すことが容易にできる。
【００３２】
〈他の実施形態〉
なお、前述した実施形態においては、ブラケット３１及びスペーサ３２のボルト穴３１ｂ，３２ｂを貫通してロータ１１３の仮固定台座１１３ａに着脱可能に螺合する仮固定ボルトと、ブラケット３１を貫通するようにブラケット３１のめねじ穴３１ｃに螺合してロータ１１３の仮固定台座１１３ａに先端面を押し付け可能な押付ボルトとを兼用ボルト３３によって同一部材とするようにしたが、他の実施形態として、仮固定ボルトと押付ボルトとをそれぞれ異なる部材とすることも可能である。
【００３３】
しかしながら、前述した実施形態のように、仮固定ボルトと押付ボルトとを同一部材からなる兼用ボルト３３で構成するようにすれば、押付ボルトを別途用意する必要がなく、部品点数の増加を抑えることができるので、非常に好ましい。
【００３４】
また、前述した実施形態においては、エレベータの巻上機のモータに適用した場合について説明したが、本発明はこれに限らず、ステータを取り付けた円筒形のフレームに対してロータを仮固定する回転電機であれば、前述した実施形態の場合と同様にして適用することができる。
【産業上の利用可能性】
【００３５】
本発明に係る回転電機の仮固定治具及びこれを使用する回転電機の組立方法は、取り付けや取り外し等の作業性を大幅に向上させることができるので、産業上、極めて有益に利用することができる。
【符号の説明】
【００３６】
３０  仮固定治具
３１  ブラケット
３１ａ  台座部
３１ｂ  ボルト穴
３１ｃ  めねじ穴
３１ｄ  ボルト穴
３２  スペーサ
３２ｂ  ボルト穴
３３  兼用ボルト
３３ａ  頭部
３３ｂ  軸部
３４  取付ボルト
１１０  モータ
１１１  フレーム
１１１ａ  埋装溝
１１２  ステータ
１１３  ロータ
１１３ａ  仮固定台座部
１１４  回転軸
１１５  カバー
１１６  取付ボルト
【図１】
2020137318.tif 000003
【図２】
2020137318.tif 000004
【図３】
2020137318.tif 000005
【図４】
2020137318.tif 000006
【図５】
2020137318.tif 000007
【図６】
2020137318.tif 000008
【図７】
2020137318.tif 000009